(57)【特許請求の範囲】
【請求項１】
既存のドア枠である既存枠(1)を、建物から外すことなく、既存枠(1)に被着して改装するドアとドア枠であって、以下の全ての構成を有することを特徴とする改装用のドアとドア枠。
（ａ）  ドア枠(3)は、既存枠(1)の外側に被着できる形状であって、嵌入溝(5)の開口部を閉塞する位置に戸当面(6)を設けている。
（ｂ）  ドア(2)は、戸当面(6)に対向する位置を薄く形成して、ドア(2)の外周縁に沿って段差部(8)を設けている。
（ｃ）  ドア(2)の段差部(8)にエアータイトゴム(4)を固定しており、ドア(2)を閉めた状態で、エアータイトゴム(4)が戸当面(6)に弾性的に押圧されて、ドア(2)と枠材の隙間を閉塞する。
【請求項２】
ドア枠(3)は、外枠(3A)と内枠(3B)とからなり、外枠(3A)と内枠(3B)を、既存枠(1)の内側でラップして、ラップ部を貫通する止ネジ(7)でドア枠(3)を既存枠(1)に固定している請求項１に記載される改装用のドアとドア枠。
【請求項３】
エアータイトゴム(4)は、固定片(4A)と弾性片(4B)とからなり、固定片(4A)をドアの段差部(8)に固定している請求項１に記載される改装用のドアとドア枠。
【請求項４】
段差部(8)にエアータイトゴム(4)の固定片(4A)を嵌着する保持溝(12)を設けており、この保持溝(12)にエアータイトゴム(4)の側縁を嵌入している請求項３に記載される改装用のドアとドア枠。
【請求項５】
ドア(2)を閉めた状態で、ドア(2)とドア枠(3)との間に形成される指詰隙間(15)が８〜１３ｍｍである請求項１に記載される改装用のドアとドア枠。
【発明の詳細な説明】
【０００１】
【発明の属する技術分野】
本発明は、既存のドア枠を建物から外すことなく、既存枠をカバーするように新しいドア枠を固定する、改装用のドアとドア枠に関し、とくに、エアータイトゴムを固定している既存枠に固定されるドアと枠材に関する。
【０００２】
【従来の技術】
ドアとドア枠を改装して新しいものに交換するには、建物に固定している既存枠を外して、新しいドア枠を定位置に固定する必要がある。この方法は、改装用のドア枠に特殊なものを使用する必要はない。しかしながら、既存枠を建物から外すのに極めて手間がかかる。それは、既存枠が溶接等の方法で、壁の内部で建物の躯体に連結されているために、既存枠の周囲の壁を取り除いて、既存枠を外すからである。また、取り除いた壁は、新しいドア枠を固定した後に、補修する必要がある。壁面は一部の補修が極めて難しい。それは、補修部分を、旧来の部分と同じ平面状態や色彩に仕上げることができないからである。このため、ドア枠を交換すると、壁面の全体を張り替え、あるいは塗り変える必要があって、壁面の補修にも極めて手間がかかる。
【０００３】
【発明が解決しようとする課題】
この欠点は、既存枠を建物から外すことなく、図１の断面図に示すように、既存枠１をカバーするようにドア枠３を固定して解消できる。しかしながら、この構造のドア枠３は、ドア２を開く方向にドア枠３が突出する欠点がある。とくに、図に示すように、エアータイトゴム４を嵌入溝５に固定している既存枠１は、嵌入溝５の開口部を閉塞する状態でドア枠３を固定するために、既存枠からの突出量が大きくなる欠点がある。この欠点は、ドア枠の横断面形状を、既存枠の嵌入溝に沿う形状として解消できる。しかしながら、この横断面形状のドア枠は、嵌入溝の幅が狭くなって、ここにエアータイトゴムを固定できなくなる。エアータイトゴムを固定するために、図１のドア枠３は、既存枠１の嵌入溝５の開口部を閉塞する位置に新しい嵌入溝５を設けて、ここにエアータイトゴム４を固定している。このため、エアータイトゴム４がドア２の方向に突出することにより、これによって、ドア２とドア枠３が、既存枠１から大きく突出する弊害がある。既存枠に新しいドア枠を固定して、ドアやドア枠が突出する構造は、デザイン的にきわめてアンバランスな状態となって、改装用のドアとしての品質を著しく低下させる。
【０００４】
本発明は、さらにこの欠点を解決することを目的に開発されたものである。本発明の重要な目的は、ドアとドア枠を大きく突出させることなく、エアータイトゴムでドアとドア枠の隙間を閉塞できる改装用のドアとドア枠を提供することにある。
【０００５】
【課題を解決するための手段】
本発明の改装用のドアとドア枠は、既存枠１を建物から外すことなく、既存枠１をカバーして改装するもので、以下の独特の構成を備える。
（ａ）  ドア枠３は、既存枠１の外側に被着できる形状であって、嵌入溝５の開口部を閉塞する位置に戸当面６を設けている。
（ｂ）  ドア２は、戸当面６に対向する位置を薄く形成して、ドア２の外周縁に沿って段差部８を設けている。
（ｃ）  ドア２の段差部８にエアータイトゴム４を固定している。ドア２を閉めた状態では、エアータイトゴム４が戸当面６に弾性的に押圧されて、ドア２と枠材の隙間を閉塞する。
【０００６】
ドア枠３は、既存枠１に簡単に装着できるように、好ましくは、外枠３Ａと内枠３Ｂで構成する。外枠３Ａと内枠３Ｂは、既存枠１の内側でラップされ、ラップ部が、ここを貫通する止ネジ７でドア枠３に固定される。
【０００７】
エアータイトゴム４は、段差部８に設けた保持溝１２に一部を嵌入して、確実に固定できる。
【０００８】
【発明の実施の形態】
以下、本発明の実施例を図面に基づいて説明する。ただし、以下に示す実施例は、本発明の技術思想を具体化するためのドアとドア枠を例示するものであって、本発明はドアとドア枠を下記のものに特定しない。
【０００９】
さらに、この明細書は、特許請求の範囲を理解し易いように、実施例に示される部材に対応する番号を、「特許請求の範囲の欄」、および「課題を解決するための手段の欄」に示される部材に付記している。ただ、特許請求の範囲に示される部材を、実施例の部材に特定するものでは決してない。
【００１０】
図２の横断面図と図３の縦断面図に示す改装用のドアとドア枠は、既存枠１を建物から外すことなく、この既存枠１に被着して固定される。既存枠１は、エアータイトゴム４を固定するための嵌入溝５を備える。嵌入溝５は、既存枠１の上下枠と縦枠に設けている。
【００１１】
ドア枠３は、既存枠１の外側に被着できる形状に、金属板をプレス加工したものである。ドア枠３の内面形状は、既存枠１の外面形状にほぼ等しい。ただし、既存枠１の嵌入溝５を被覆する部分は、嵌入溝５の表面に沿う溝形ではなく、嵌入溝５の開口部を橋渡し状態に閉塞する平面状として、ここを戸当面６としている。
【００１２】
ドア枠３は、既存枠１に両面から入れて簡単に固定できるように、外枠３Ａと内枠３Ｂとで構成している。外枠３Ａと内枠３Ｂは、左右の縦枠と上枠とを連結している本体枠と、両側の縦枠の下端に連結して、既存枠１の下枠をカバーする下枠とに分割している。
【００１３】
外枠３Ａの本体枠は、既存枠１の内側面から外側縁に沿う形状に折曲加工している。外側縁はコ字状に折曲加工されて、既存枠１の突出縁を嵌着できる形状としている。さらに、既存枠１の嵌入溝５の開口部を閉塞する部分は、嵌入溝５に沿うことなく、開口部を橋渡し状態に閉塞する平面状として、ここを戸当面６としている。さらに、図に示す外枠３Ａの本体部は、既存枠１の内側面の全面をカバーする幅としている。
【００１４】
外枠３Ａの下枠は、既存枠１の内側面の全体をカバーする幅に形成されるが、内側縁をコ字状に折曲することなく、Ｌ字状に折曲している。図３に示すように、既存枠１の下枠が、下部をコンクリート等に埋設しているので、コンクリートを除去することなく、既存枠１の表面に沿う形状とするためである。
【００１５】
内枠３Ｂは、本体部と下枠の両方をＬ字状に折曲加工して、既存枠１の内側面で、外枠３Ａの表面にラップしている。内枠３Ｂは、既存枠１の内側突出面で、外枠３Ａの内面にラップする幅としている。
【００１６】
この構造のドア枠は以下の工程で、既存枠に固定される。
▲１▼  既存枠１から古いドアを外す。
▲２▼  外枠３Ａの本体部を、既存枠１の定位置に装着した後、外枠３Ａの下枠を既存枠１の定位置に装着する。
▲３▼  内枠３Ｂの本体部を、既存枠１の定位置に装着する。内枠３Ｂは、外枠３Ａの内側に一部をラップして、既存枠１の定位置に装着する。その後、同様にして、内枠３Ｂの下枠を既存枠１の定位置に装着する。
▲４▼  図２と図３に示すように、内枠３Ｂと外枠３Ａを貫通して、止ネジ７を既存枠１にねじ込んで、ドア枠３を既存枠１に固定する。図のドア枠３は、ラップ部と、ドア２の外周に対向する内側面で、外枠３Ａに貫通して止ネジ７を既存枠１にねじ込んでいる。この構造は、外枠３Ａと内枠３Ｂの両方を確実に既存枠１に固定できる。止ネジ７は、一定の間隔で、ドア枠３から既存枠１にねじ込んで固定される。
【００１７】
ドア２は、ドア枠３の戸当面６に対向する位置を薄く形成して、外周に沿って段差部８を設けている。段差部８にはエアータイトゴム４を固定している。エアータイトゴム４は、ドア２を閉めた状態でドア枠３の戸当面６に弾性的に押圧されて、ドアとドア枠の隙間を閉塞する。
【００１８】
ドア２は、外周縁に沿って段差部８を設けるために、ドアフレームを一対のコ字状部材で構成している。一対のコ字状部材は、幅の広い力骨９と、この力骨９に一部を挿入している幅の狭いスペーサー１０である。力骨９は、ドア２の厚さにほぼ等しい幅の溝形で、スペーサー１０は、段差部８を設けるために幅を狭くしている。力骨９とスペーサー１０の幅の差で、ドア２の外周に段差部８を設けている。さらに、スペーサー１０は、一部を力骨９に挿入した状態で、力骨９から突出して段差部８を設ける形状としている。
【００１９】
力骨９は溝の開口部を外側に向け、スペーサー１０は溝の開口部をドア２の内側に向けて先端部を力骨９に入れている。力骨９の両面に表面プレート１１を張設して固定している。ドア２の外側の表面プレート１１は、周縁をＵ曲して、力骨９とスペーサー１０の間に挟着して固定している。ドア２の内側の表面プレート１１は、周縁をＬ字状に折曲して、力骨９とスペーサー１０との隙間を閉塞している。表面プレート１１は力骨９に接着して固定される。
【００２０】
エアータイトゴム４は、固定片４Ａと弾性片４Ｂとからなり、全体をゴム状弾性体で一体的に成形している。固定片４Ａは、段差部８に密着して接着される板状で、弾性片４Ｂは、一端を固定片４Ａに連結して、戸当面６に弾性的に押圧される形状に成形している。固定片４Ａは、ドア２の段差部８に接着して固定される。図のエアータイトゴム４は、段差部８に設けた保持溝１２に一方の側縁を嵌入している。この構造は、エアータイトゴム４を外れないように段差部８に固定できる。保持溝１２は、スペーサー１０にコ字プレート１３を固定して、段差部８の外側縁に設けている。コ字プレート１３は、一方の折曲片を力骨９とスペーサー１０で挟着し、スペーサー１０の外側面に接着して固定される。コ字プレートは、ドア２の外周面を表面処理して、エアータイトゴム４を固定している。
【００２１】
図に示すエアータイトゴム４は、固定片４Ａと弾性片４Ｂの連結部をドア２の外周に接近して配設している。さらに、エアータイトゴム４は、弾性片４Ｂの先端を、外側から指詰隙間１５に向かって延長するように配設している。さらに、図に示すエアータイトゴムは、ドアを閉めた状態で、弾性片４Ｂの先端縁を段差部８から離れる形状としている。指詰隙間１５は、ドア２を閉めた状態で、ドア２とドア枠３との間に形成される、指を詰めることのある隙間である。この構造のエアータイトゴム４は、弾性片４Ｂの先端を段差部８の内側方向に移動する方向に弾性変形できるので、指詰隙間１５に指や異物が挟まっても、エアータイトゴム４で吸収して危険な状態となるのを回避できる。とくに、弾性片の先端縁を弾性体から離しているエアータイトゴム４は、弾性片４Ｂを柔軟に大きく変形できるようにできるので、指を挟んだときに、エアータイトゴムが指を強く押圧することがない。また、指詰隙間１５の幅を、８〜１３ｍｍと広くすることにより、ドアとドア枠が指を強く挟むのも防止できる。
【００２２】
ドア２は片側を蝶番１４でドア枠３に連結している。蝶番１４の反対側は閉じた状態に停止できるドアロック（図示せず）を固定している。ドア２が閉められると、図２と図３に示すように、ドア２の段差部８に設けたエアータイトゴム４がドア枠３の戸当面６に密着して、ドアとドア枠の隙間が閉塞される。
【００２３】
【発明の効果】
本発明の改装用のドアとドア枠は、既存枠の上に装着する状態で、既存枠から大きく突出することがなく、しかも閉めた状態ではエアータイトゴムでドアとドア枠の隙間を閉塞できる特長がある。それは、本発明のドア枠が、エアータイトゴムを固定していた既存枠の嵌入溝の開口部を閉塞する位置を戸当面とし、この戸当面に弾性的に押圧されるエアータイトゴムを、ドア枠ではなくてドアの外周に設けた段差部に固定しているからである。
【００２４】
さらに、本発明の請求項５に記載している改装用のドアとドア枠は、ドアを閉めるときに、ドアとドア枠との間にできる指詰隙間で指を詰めて危険な状態となるのを有効に防止できる特長がある。それは、本発明のドアとドア枠が、ドアの外周に設けた段差部にエアータイトゴムを固定しており、このエアータイトゴムが弾性変形して指に加わる力を吸収しているからである。さらに、ドアとドア枠の間の指詰隙間を、８〜１３ｍｍと広くしているので、誤って指を挟んだときに、ドアとドア枠とが指を強く押圧するのを防止して安全に使用できる。
【図面の簡単な説明】
【図１】従来の改装用のドアとドア枠を示す断面図
【図２】本発明の実施例のドアとドア枠の水平断面図
【図３】本発明の実施例のドアとドア枠の垂直断面図
【符号の説明】
１…既存枠
２…ドア
３…ドア枠              ３Ａ…外枠      ３Ｂ…内枠
４…エアータイトゴム    ４Ａ…固定片    ４Ｂ…弾性片
５…嵌入溝
６…戸当面
７…止ネジ
８…段差部
９…力骨
１０…スペーサー
１１…表面プレート
１２…保持溝
１３…コ字プレート
１４…蝶番
１５…指詰隙間
【図１】
0004235253.tif 000002
【図２】
0004235253.tif 000003
【図３】
0004235253.tif 000004